(57)【要約】      （修正有）【課題】塩基性水溶液で現像して、実用可能な感度を有していて膨潤のない微細パターンを形成できるレジスト組成物を提供する。【解決手段】アルカリ可溶性樹脂を基材樹脂として含むネガ型レジスト組成物において、オキセタン構造が構造中に含まれる化合物として、次式（５）で表わされるケイ素含有重合体：2011053691.tif 000066（上式において、ｎは、正の整数である）が含まれるように構成する。【選択図】なし【特許請求の範囲】
【請求項１】
アルカリ可溶性樹脂を基材樹脂として含むネガ型レジスト組成物であって、
前記アルカリ可溶性樹脂に、次式（１）で表されるオキセタン構造：
【化１】
2011053691.tif 000063
が構造中に含まれる化合物として、次式（５）で表わされるケイ素含有重合体：
【化２】
2011053691.tif 000064
（上式において、ｎは、正の整数である）が併用されることを特徴とするネガ型レジスト組成物。
【請求項２】
結像用放射線を吸収して分解すると前記オキセタン構造が反応を起こし得る酸を発生可能な光酸発生剤をさらに含み、自体塩基性水溶液に可溶であるが、前記結像用放射線による露光後は露光部がアルカリ不溶となり、塩基性水溶液で現像可能であることを特徴とする請求項１に記載のネガ型レジスト組成物。
【請求項３】
前記アルカリ可溶性樹脂が、カルボキシル基、フェノール性水酸基、Ｎ−ヒドロキシアミド基、オキシム基、イミド基、次式（２）の１，１，１，３，３，３−ヘキサフルオロカルビノール基：
【化３】
2011053691.tif 000065
及びスルホン酸基からなる群から選ばれた少なくとも１種類の置換基を含む重合体であることを特徴とする請求項１又は２に記載のネガ型レジスト組成物。
【請求項４】
前記アルカリ可溶性樹脂が、アクリル酸、メタクリル酸、イタコン酸、ビニル安息香酸、ノルボルネン、ビニルフェノール、スチレン及びこれらの誘導体から誘導された重合体であることを特徴とする請求項１〜３のいずれか１項に記載のネガ型レジスト組成物。
【請求項５】
前記アルカリ可溶性樹脂が、その構造中に前式（１）で表されるオキセタン構造を有することを特徴とする請求項３又は４に記載のネガ型レジスト組成物。
【請求項６】
前記アルカリ可溶性樹脂がケイ素含有樹脂であることを特徴とする請求項３又は４に記載のネガ型レジスト組成物。
【請求項７】
前記ケイ素含有樹脂が、その構造中に前式（１）で表されるオキセタン構造を有することを特徴とする請求項６に記載のネガ型レジスト組成物。
【請求項８】
被加工基板上に、請求項１〜７のいずれか１項に記載のレジスト組成物を被覆してレジスト膜を形成し、
前記レジスト膜を結像用放射線に選択的に露光し、
露光後のレジスト膜を塩基性水溶液で現像してネガ型のレジストパターンを形成すること
を特徴とするレジストパターンの形成方法。
【請求項９】
請求項８に記載のレジストパターン形成方法を実施する工程を含むことを特徴とする半導体装置の製造方法。
【発明の詳細な説明】
【技術分野】
【０００１】
本発明は微細加工技術に関し、さらに詳しく述べると、膨潤を伴うことなく塩基性水溶液によって現像可能なネガ型レジスト組成物と、それを使用して微細なレジストパターンを形成する方法及び半導体装置を製造する方法に関する。本発明に従うと、短波長での光の吸収がより少なく、感度が良好でかつ高いドライエッチング耐性を合わせ持つレジスト材料が提供されるので、ＶＬＳＩ、ＵＬＳＩ等の半導体集積回路や、その他の微細加工が求められているデバイス、例えば磁気抵抗効果型ヘッド（ＭＲヘッド）などを有利に製造することができる。
【背景技術】
【０００２】
米国ＩＢＭ社のＨ．Ｉｔｏらによって提示された化学増幅型レジストの出現によって、フッ化クリプトンエキシマレーザ（波長２４８nm、以下ＫｒＦと略す）を用いたフォトリソグラフィが量産の主役になりつつある。例えば、非特許文献１〜４及び特許文献１を参照されたい。
【０００３】
さらに近年、ギガビットクラスのＤＲＡＭ等の一層集積度の高いデバイスのっ作製に対して、より波長の短いＡｒＦ（フッ化アルゴン）エキシマレーザ（波長１９３nm）を用いたリソグラフィの研究も盛んになってきている。また、このような短波長では、従来のフェノール系樹脂では光の吸収が強いので、基材樹脂そのものから変更することが必須である。そこで、このような短波長で適用可能なレジストの開発が急務となってきている。
【０００４】
ＡｒＦの波長において適用可能な化学増幅型レジストとしては、従来よりポジ型の開発が盛んに行われていたが（例えば、非特許文献５〜９及び特許文献２を参照されたい）、単層ネガ型化学増幅型レジストの報告は少なく、また多くが架橋型レジストであった。例えば非特許文献１０〜１２及び特許文献３及び４などに記載されるように、架橋型レジストは、露光部の架橋反応を利用して分子量を増大させることによって、現像液への未露光部との溶解度差を生じさせパターニングを行うものである。このため、パターンの膨潤による微細加工の限界が避けられない。
【０００５】
最近では、ヒドロキシカルボン酸構造を利用した分子内ラクトン化による極性変化（例えば、非特許文献１３を参照されたい）や、ピナコール転移（例えば、非特許文献１４を参照されたい）を用いる単層ネガ型化学増幅型レジストも報告されている。しかしながら、分子内ラクトン化を用いる場合では、極性変化の割合が比較的小さく、高コントラストが得られにくいという問題があり、また、ピナコール転移の場合では、フッ素を含有することから基板密着性の問題や無水マレイン酸を含むことによる保存安定性の問題などがあり、未だ万全ではない。また、本発明者らも以前分子間保護反応による極性変化を用いる単層ネガ型化学増幅型レジストを開発しているが（特許文献５及び６）、分子間反応であることから十分な反応性が得られにくいという問題点があった。
【０００６】
ネガ型レジストは、ポジ型ではマスクの作成が困難な場合や、トランジスタのゲートに代表される露光面積の少ない場合には、未露光部が溶解するため有利に使用できると同時に、露光波長以下の解像性を得る手法として有望な超解像技術の一つである位相シフトマスクやレベンソン型マスクと呼ばれる光学像を強調するマスクを用いる場合にも有用であり、ＡｒＦ露光でもネガレジストに対する要望は強い。これらのマスクは、ＡｒＦを光源とする場合は１３０nm以下の解像性が必要な場合に適用されると目されており、このような微細なパターンを膨潤無く解像できるレジストの開発が急務となっている。
【０００７】
さらに、近年、半導体装置の高集積化に伴い、配線の微細化及び多層化も進行している。これに呼応する形で、リソグラフィ工程で使用されるレジスト材料への要求も厳しくなっており、解像性の他に、エッチング後の寸法精度が非常に重要な特性として、注目されてきている。今後、露光光源が短波長化にシフトすれば、レジスト自体の透過率の維持は難しくなるため、レジスト膜厚の薄膜化傾向が進み、その結果として、エッチングの問題はより重要性を増すことは明らかである。また、配線の微細化に伴うフォトマスクの高集積化、更には近年、急速に高密度化が進行している磁気抵抗効果ヘッドの製造でも、半導体製造と同様なリソグラフィ技術が利用されており、レジスト材料への要求は共通した課題を有する。
【０００８】
ところで、上記したような問題に有効な技術として、サーフェスイメージングが提案されており、その中でも、ケイ素含有樹脂を含むレジスト組成物を用いた二層レジスト法が検討されている。二層レジスト法は、有機樹脂を０．５μｍ程度の膜厚に塗布して下層レジスト膜を形成した後、その上に、０．１μｍ程度の膜厚の上層レジスト膜を形成し、次いで、先ず上層レジスト膜の露光、現像により上層をパターニングし、得られた上層パターンをマスクとして下層をエッチングし、高アスペクト比のレジストパターンを形成するものである。この二層レジスト法に利用されるレジスト材料に求められる性能とし、酸素反応性イオンエッチング（Ｏ2 −ＲＩＥ）耐性の他、解像度、保存安定性、及び近年では単層レジスト法で一般的に使用されている塩基性水溶液を使用可能であること、換言すると、アルカリ現像が使用可能であることが強く要求されている。しかし、現在商業的に入手可能なレジスト材料では、これらの要求のすべてを同時に満たすことが難しい。
【先行技術文献】
【特許文献】
【０００９】
【特許文献１】米国特許第４，４９１，６２８号明細書
【特許文献２】特開平９−９０６３７号公報
【特許文献３】特開２０００−１２２２８８号公報
【特許文献４】特開２０００−１４７７６９号公報
【特許文献５】特開平１１−３１１８６０号公報
【特許文献６】特開平１１−３０５４３６号公報
【非特許文献】
【００１０】
【非特許文献１】J.M.J. Frechet et al., Proc. Microcircuit Eng., 260 (1982)
【非特許文献２】H. Ito et al., Digest of Technical Papers of 1982 Symposium on VLSI Technology, 86 (1983)
【非特許文献３】H. Ito et al.,“Polymers in Electronics”, ACS Symposium Series 242
【非特許文献４】T. Davidson, ed., ACS, 11 (1984)
【非特許文献５】K. Nozaki et al, Chem. Mater., 6, 1492 (1994)
【非特許文献６】K. Nakano et al., Proc. SPIE, 2195, 194 (1994)
【非特許文献７】R.D. Allen et al., Proc. SPIE, 2438, 474 (1994)
【非特許文献８】K. Nozaki et al., Jpn. J. Appl. Phys., 35, L528 (1996)
【非特許文献９】K. Nozaki et al., J.Photopolym. Sci. Technol., 10 (4), 545-550 (1997)
【非特許文献１０】A. Katsuyama et al., Abstracted Papers of Third International Symposium on 193 nm Lithography, 51 (1997)
【非特許文献１１】前田他、第５８回応用物理学会講演予稿集No. 2, 647 (3a-SC-17) (1997)
【非特許文献１２】T. Naito et al., Proc. SPIE, 3333, 503 (1998)
【非特許文献１３】Y. Yokoyama et al., J. Photopolym. Sci. Technol., 13 (4), 579 (2000)
【非特許文献１４】S. Cho et al., Proc. SPIE, 3999, 62 (2000)
【発明の概要】
【発明が解決しようとする課題】
【００１１】
本発明は、上記のような従来技術の問題点を解決し、現像液として塩基性水溶液を使用することができ、実用可能な感度を有していて膨潤のない微細パターンを形成することが出来る新規なネガ型レジスト組成物を提供することにある。
【００１２】
本発明の目的は、また、ＫｒＦあるいはＡｒＦエキシマレーザ等に代表される深紫外領域の露光光源にも対応可能で、ドライエッチング耐性にも優れた新規なレジスト組成物を提供することにある。
【００１３】
本発明のもう一つの目的は、露光部と未露光部の極性の差を大きくして、高感度、高コントラスト及び高解像度を兼ね備える微細なパターンが形成可能な新規なレジスト組成物を提供することにある。
【００１４】
本発明のさらにもう一つの目的は、Ｏ2 −ＲＩＥ耐性が高く、塩基性水溶液での現像により微細なレジストパターンが得られ、かつ露光感度が高いので、特に多層レジスト法で上層レジスト膜の形成に有用な新規なレジスト組成物を提供することにある。
【００１５】
また、本発明のもう一つの目的は、このようなレジスト組成物を使用してレジストパターンを形成する方法を提供することにある。
【００１６】
さらに、本発明のもう一つの目的は、このようなレジスト組成物をパターン形成材料として使用して半導体装置を製造する方法を提供することにある。
【００１７】
本発明の上記した目的や、その他の目的は、以下の詳細な説明から容易に理解することができるであろう。
【課題を解決するための手段】
【００１８】
本発明者らは、上記した課題を解決すべく鋭意研究の結果、化学増幅レジスト組成物において、基材樹脂として、アルカリ可溶性基を有し、塩基性水溶液に可溶な皮膜形成性の重合体を使用するとともに、そのアルカリ可溶性の重合体に対して、もしくはそのアルカリ可溶性の重合体と組み合わせて使用される化合物に対して、オキセタン構造を導入することが有効であるという知見を得、本発明を完成するに至った。
【００１９】
本発明は、その１つの面において、アルカリ可溶性樹脂を基材樹脂として含むネガ型レジスト組成物であって、
前記アルカリ可溶性樹脂の構造中もしくは前記アルカリ可溶性樹脂に併用される化合物の構造中に、次式（１）で表されるオキセタン構造：
【００２０】
【化１】
2011053691.tif 000002
【００２１】
が含まれることを特徴とするネガ型レジスト組成物にある。
【００２２】
本発明のレジスト組成物は、好ましくは化学増幅型レジストの形で提供される。すなわち、本発明のレジスト組成物は、パターニング目的で使用される結像用放射線を吸収して分解するとオキセタン構造が反応を起こし得る酸を発生可能な光酸発生剤（ＰＡＧ）をさらに含み、よって、レジスト組成物自体は塩基性水溶液に可溶であるが、結像用放射線による露光後は、露光部がアルカリ不溶となり、塩基性水溶液で現像可能である。ここで、光酸発生剤の含有量は、それが露光光源に曝されたあと発生する酸の強さに依存するが、通常、０．１〜５０重量％（ポリマ重量に対する百分率）の範囲であるのが好ましく、より好ましくは１〜１５重量％の範囲である。
【００２３】
基材樹脂として使用するアルカリ可溶性重合体は、所望とするレベルのアルカリ可溶性を得るため、好ましくは、カルボキシル基、フェノール性水酸基、Ｎ−ヒドロキシアミド基、オキシム基、イミド基、次式（２）の１，１，１，３，３，３−ヘキサフルオロカルビノール基：
【００２４】
【化２】
2011053691.tif 000003
【００２５】
及びスルホン酸基からなる群から選ばれた少なくとも１種類の置換基を含む重合体である。
【００２６】
また、アルカリ可溶性重合体は、好ましくは、それを構成するモノマ単位の少なくとも一つが、（メタ）アクリレート系モノマ単位、すなわちアクリレート系及びメタアクリレート系モノマ単位、ビニルフェノール系モノマ単位、Ｎ−置換マレイミド系モノマ単位、スチレン系モノマ単位、またはノルボルネンに代表される複数の環式構造からなる多環性脂環式炭化水素部分を有するモノマ単位であるものである。その多環性脂環式炭化水素部分にアダマンチル基、ノルボルニル基等に代表される構造を有しているモノマ単位であるものがさらに好ましい。
【００２７】
前記したアルカリ可溶性重合体が共重合体の形態をとる場合、アルカリ可溶性基を有するモノマ単位の重合相手モノマ単位は、重合体が現像液に対し適切なアルカリ可溶性を保持できる限りどのような構造を有していてもよい。さらに、前記したアルカリ可溶性重合体が３元共重合体の形態であっても、前記と同様に重合体がアルカリ可溶性を保持している限り自由であり、そのような組み合わせも好ましい。また、この場合、アルカリ可溶性基を有する第一のモノマ単位に加えて、弱いアルカリ可溶性基を有する第２のモノマ単位を含んでいてもよく、かつそのような組み合わせも好ましい。
【００２８】
本発明で使用されるアルカリ可溶性重合体において、アルカリ可溶性基を有するモノマユニットの占める割合は、樹脂自体が適切なアルカリ可溶性を示す限りにおいては問われないが、ネガレジストとして実現可能と考えられる適切なアルカリ溶解速度（２．３８％ＴＭＡＨ現像液での溶解速度が１００Å／ｓ〜１００００Å／ｓ程度）を得ることを考慮すると、例えば２成分以上のモノマからなる重合体の場合、アルカリ可溶性基を有するモノマユニットの含有率は５〜９５モル％の範囲が好ましく、より好ましくは３０〜７０モル％の範囲である。このモノマユニットの含有率が５モル％を下回ると、カルボン酸より酸性度の弱いアルカリ可溶性基の場合は、アルカリ溶解性が不十分なため満足のいくパターニングが不可能になる。また逆に９５モル％を上回ると、カルボン酸よりも酸性度の強いアルカリ可溶性基の場合は、アルカリ可溶性が強すぎるため塩基性水溶液への溶解速度が速すぎてしまい、パターニングは困難になる。従って、使用するアルカリ可溶性基の酸性度によって適切に、かかるモノマユニットの含有率を制御することが望ましい。
【００２９】
本発明のレジスト組成物では、１つの面において、アルカリ可溶性重合体自体がその構造中にオキセタン構造を有することが好ましい。そのような場合に、オキセタン構造を有するモノマユニットの占める割合は、樹脂自体が適切なアルカリ可溶性を示し、十分なパターニングが行える限りにおいては問われないが、露光後ＰＥＢ（ポストエクスポージャー・ベーキング）を行った後の２．３８％ＴＭＡＨ現像液での露光部における溶解速度が０〜４０Å／ｓ程度に収まるように反応しうる含有率に制御することが望ましい。例えば２成分以上のモノマからなる重合体の場合、オキセタン構造を有するモノマユニットの含有率は５〜９５モル％であるのが好ましく、より好ましくは３０〜７０モル％の範囲である。
【００３０】
また、本発明の別の面によれば、オキセタン構造を構造中に有する化合物をレジスト組成物のアルカリ可溶性重合体に併用することも好ましい。このような場合には、重合体のアルカリ溶解速度に大きく依存するが、前記した適切なアルカリ溶解速度を有する重合体に対しては、１〜８０重量％（ポリマ重量に対する百分率）の含有量が推奨される。より好ましくは、１０〜４０重量％の含有量が推奨される。
【００３１】
本発明のレジスト組成物において、基材樹脂として使用されるアルカリ可溶性樹脂は、本発明を別の面から見ると、好ましくは、ケイ素含有樹脂である。また、かかるケイ素含有樹脂は、好ましくは、カルボキシル基、フェノール性水酸基、前式（２）のヘキサフルオロカルビノールなどの置換基を、少なくとも１個含有する。
【００３２】
ケイ素含有樹脂は、好ましくは、その構造中にオキセタン構造を含有する。基材樹脂として好適なオキセタン構造含有のケイ素含有樹脂は、好ましくは、次式（３）又は（４）で表されるケイ素含有重合体である：
【００３３】
【化３】
2011053691.tif 000004
【００３４】
【化４】
2011053691.tif 000005
【００３５】
（上式において、p、q及びrは、それぞれ、正の整数である）。
【００３６】
さらに別の面において、基材樹脂として使用されるアルカリ可溶性樹脂は、オキセタン構造を有する化合物を併用してもよい。オキセタン構造含有化合物は、好ましくは、次式（５）で表わされるケイ素含有樹脂である：
【００３７】
【化５】
2011053691.tif 000006
【００３８】
（上式において、ｎは、正の整数である）。
【００３９】
本発明のレジスト組成物で基材樹脂として使用される上述のようなアルカリ可溶性重合体は、レジスト組成物の組成や所望とする効果などに応じて広い範囲で変更し得るというものの、通常、２０００〜１００万の重量平均分子量を有することが好ましく、より好ましくは３０００〜５００００の範囲である。
【００４０】
本発明のレジスト組成物は、好ましくは乳酸エチル、メチルアミルケトン、メチル−３−メトキシプロピオネート、エチル−３−エトキシプロピオネート、プロピレングリコールメチルエーテルアセテート、またはそれらの混合物からなる群から選ばれた溶媒に溶解した溶液の形で提供される。またこのレジスト溶液は、必要に応じて、酢酸ブチル、γ−ブチロラクトン、プロピレングリコールメチルエーテル、およびその混合物からなる群から選ばれた溶媒を補助溶媒としてさらに含んでいてもよい。レジスト溶液に加える補助溶媒は、溶質の溶解性によっては必要ないが、溶解度の低い溶質を用いた場合、通常、主溶媒に対して１〜３０重量％の範囲で加えられるが、より好ましくは１０〜２０重量％の範囲である。
【００４１】
また、本発明のレジスト組成物は、露光光源の波長（１５７〜３００nm）における吸光度が、１．７５以下であることが十分なパターニング特性を得る上で望ましい。
【００４２】
本発明は、そのもう１つの面において、本発明のレジスト組成物を使用してネガ型のレジストパターンを形成する方法にある。本発明のレジスト組成物は、このレジストパターンの形成方法において、単層レジスト法で使用してもよく、多層レジスト法、例えば二層レジスト法や三層レジスト法で使用してもよい。
【００４３】
本発明のレジストパターンの形成方法は、下記の工程：
被加工基板上に、本発明のレジスト組成物を被覆してレジスト膜を形成し、
前記レジスト膜を結像用放射線に選択的に露光し、
露光後のレジスト膜を塩基性水溶液で現像してネガ型のレジストパターンを形成すること
を含んでなることを特徴とする。
【００４４】
また、多層レジスト法を実施する場合には、本発明のレジストパターンの形成方法は、下記の工程：
被加工基板上に、第１のレジスト組成物を被覆して下層レジスト膜を形成し、
前記下層レジスト膜の上に、本発明のレジスト組成物を被覆して上層レジスト膜を形成し、
前記上層レジスト膜を結像用放射線に選択的に露光し、
露光後の上層レジスト膜を塩基性水溶液で現像してレジストパターンを形成し、
前記レジストパターンをマスクとして下地の下層レジスト膜をエッチングし、前記下層レジスト膜とその上の前記上層レジスト膜とからなるネガ型のレジストパターンを形成すること
を含んでなることを特徴とする。
【００４５】
本発明のレジストパターンの形成方法において、被処理基板上に形成されたレジスト膜は、それを選択的露光工程に供する前とその後、加熱処理に供することが好ましい。すなわち、本発明方法では、レジスト膜をその露光前にプリベーク処理に供するとともに、露光の後であって現像を行う前、先にＰＥＢとして説明したところのポストベーク処理に供することが好ましい。これらの加熱処理は、常法に従って実施することができる。
【００４６】
また、本発明のレジストパターンの形成方法において、結像用放射線としては、レジスト組成物中に含まれる光酸発生剤の分解を誘起しうる放射線を使用する。
さらに、現像液として使用される塩基性水溶液は、好ましくは、水酸化カリウム等に代表される周期律表のＩ族及びII族に属する金属水酸化物の水溶液や、水酸化テトラアルキルアンモニウム等の金属イオンを含有しない有機塩基の水溶液であり、より好ましくは、水酸化テトラメチルアンモニウム（ＴＭＡＨ）の水溶液である。これらの塩基性水溶液には、現像効果の向上のため、界面活性剤のような添加物を加えてもよい。
【００４７】
本発明は、そのもう１つの面において、上述のようなレジストパターン形成方法を実施する工程を含むことを特徴とする半導体装置の製造方法にある。
【発明の効果】
【００４８】
本発明によるレジスト組成物を使用すると、実用可能な感度で膨潤のない微細なネガティブレジストパターンを形成できる。
【００４９】
また、このレジスト組成物のアルカリ可溶性重合体を３元共重合体の形とし、その第１のモノマ単位に強いアルカリ可溶性基と、第２のモノマ単位に弱いアルカリ可溶性基を含ませた場合、アルカリ可溶性の制御が容易であり、これにオキセタン構造を含むことにより、分子間あるいは分子内の反応が採用できるため、従来の架橋型に併せて極性変化によってパターンが形成出来、高いコントラストと解像性を容易に得ることができる。
【００５０】
さらに、本発明のレジスト組成物は、単層レジスト法だけでなく二層レジスト法やその他の多層レジスト法でも使用可能であり、半導体装置に課されている、配線の微細加工技術における短波長域での高感度、エッチング耐性の要求をも満たすことができる。
【００５１】
さらにまた、本発明のレジスト組成物を用いたレジストパターンの形成方法では、半導体装置の高集積化を実現することができるばかりでなく、近年高密度化が進行しているＭＲヘッドなどの製造も容易に実現することができる。
【図面の簡単な説明】
【００５２】
【図１】本発明によるレジスト組成物を用いた二層レジスト法における、Ｏ2 −ＲＩＥ耐性の結果を示すグラフである。
【図２】本発明によるレジスト組成物を利用した配線パターン形成方法を順を追って示す断面図である。
【発明を実施するための形態】
【００５３】
本発明のネガ型レジスト組成物は、基材樹脂として使用されるアルカリ可溶性樹脂の構造中か、さもなければ、アルカリ可溶性樹脂に併用される化合物の構造中に、前式（１）で表されるオキセタン構造が含まれることを特徴とする。ここで、オキセタン構造を有する化合物は、単独で光硬化型のコーティング材として使用し得ることが知られているが（特開平６−１６８０４号公報を参照）、本発明は、このオキセタン構造を、アルカリ可溶性でかつドライエッチング耐性に優れる樹脂に側鎖として導入するか、あるいはオキセタン構造含有化合物として添加して用いることを特徴としている。今まで発見することができなかったが、オキセタン構造をこのような形で使用することを通じて、特に微細加工に好適なレジスト材料を提供することが可能となった。
【００５４】
本発明のレジスト組成物におけるオキセタンの挙動について説明すると、オキセタンは、ある条件下で開環し、水酸基やカルボン酸などのアルカリ可溶性基と反応する。反応後はアルカリ可溶性基が消失するため、レジスト膜の露光部はアルカリ不溶となり、従って塩基性水溶液で現像後ネガティブパターンが形成できる。また、オキセタンはある条件下で開環重合し、樹脂の架橋反応による分子量増大による溶解性の低下も起こる。さらに、その反応によってプロトン酸を再生する増幅型のため高感度を達成できる。なお、本発明では主に重合体において生じる極性変化を用いてパターン形成を行っているため、膨潤のないパターンが得られる。
【００５５】
また、本発明のレジスト組成物において基材樹脂として用いられるアルカリ可溶性重合体には、それが特に３元共重合体の形態をとる場合において、その第一のモノマ単位にカルボン酸に代表される強いアルカリ可溶性基を有し、その第２のモノマ単位に例えばラクトン環構造、酸無水物、イミド環構造などを有する弱いアルカリ可溶性基を用いることができる。このような場合には、強いアルカリ可溶性基と弱いアルカリ可溶性基の含有量をコントロールすることによって、基材樹脂のアルカリ溶解速度を好ましい値に調整することが容易になる。また、第３のモノマユニットにはエッチング耐性を有する官能基を有するものを用いることも可能であり、それはレジストとして非常に好ましい。
【００５６】
本発明のレジスト組成物において基材樹脂として用いられるアルカリ可溶性重合体の構造は、上記したような条件、特に適切なアルカリ溶解速度を有すると言う条件を満たす限りにおいて、特に限定されるものではないけれども、ノボラックレジスト並みのドライエッチング耐性を得ることを考慮に入れた場合、多環性脂環式炭化水素系化合物をエステル基に有するアクリレート系モノマー単位やメタアクリレート系モノマー単位との重合体、ビニルフェノール系重合体、Ｎ−置換マレイミド系重合体、スチレン系重合体、ノルボルネン系重合体などを使用することが推奨される。特に、アクリレート系、メタクリレート系重合体、ノルボルネン系重合体は、露光光源として深紫外線、特に２５０nm以下の波長を持つ光源を使用する場合に、その波長の光の吸収が小さい点において重要である。換言すると、深紫外線を露光光源とする場合には、一般的に深紫外領域の光を大きく吸収する芳香族環や、共役二重結合等のモル吸光係数の大きい発色団を含まないような構造を有する重合体を使用することが望ましい。
【００５７】
ＡｒＦエキシマレーザのような短波長領域の露光波長を光源として用いる場合には、ドライエッチング耐性とともにその露光波長（１９３nm）における透明性が必要となるため、上記したようにドライエッチング耐性の高いアダマンチル基、ノルボルニル基等に代表されるような多環性脂環式炭化水素構造を含有するエステル基を有する重合体、とりわけアクリレート系、メタクリレート系重合体、あるいはノルボルネン系重合体の使用が推奨される。
【００５８】
さらに、Ｆ2 レーザ（波長１５７nm）のような真空紫外光を光源として用いる倍には、透明性を確保することがさらに厳しいため、フッ素化ノルボルネン系重合体やビニルフルオリド系重合体などに代表される含フッ素系樹脂と組み合わせたり、オキセタン構造を含フッ素単位の側鎖として用いることが推奨される。
【００５９】
上記したような重合体、及びその他のアルカリ可溶性重合体の分子量（重量平均分子量、Ｍｗ）は、広い範囲で変更可能であるが、好ましくは２，０００〜１００万の範囲であり、より好ましくは３，０００〜５０，０００である。
【００６０】
本発明の実施において有利に使用することができるアルカリ可溶性重合体は、以下に列挙するものに限定されるわけではないけれども、次のような重合体を包含する。なお、式中のｌ，ｍ，ｎは、それぞれ、上記した重量平均分子量を得るのに必要なモノマ単位（繰り返し単位）の数であり、Ｒ1 〜Ｒ3 は、それぞれ、特に断りのない限り、任意の置換基、例えば、水素原子、ハロゲン原子（塩素、臭素等）、低級アルキル基（メチル基、エチル基等）、シアノ基、フッ素化低級アルキル基、その他であり、それぞれ同一でも異なっていてもよい。
【００６１】
（１）アクリレート又はメタクリレート系重合体
【００６２】
【化６】
2011053691.tif 000007
【００６３】
この構造式において、Ｒ4 は、例えばラクトン環に代表されるような弱いアルカリ可溶性基を示すが、これを含むモノマユニットは、アルカリ溶解速度がネガレジストの基材樹脂として適切な値を示す限り、必須のユニットではない。Ｒ5 は、オキセタン構造を有するユニットを示す。
【００６４】
この他、次式に示すようにアルカリ可溶性基であるカルボン酸を有するエステル基に含有する構造のものでももちろんよい。
【００６５】
【化７】
2011053691.tif 000008
【００６６】
この構造式において、Ｒ4 は、前式と同じ定義である。Ｒ6 ，Ｒ7 はともにＨまたはオキセタン構造を有するユニットを示すが、同時に同じ構造（Ｈ同士やオキセタン同士）を取ることはできない。Ｒx は、任意の構造を取ることができるが、多環性脂環族の構造を取ることが好ましい。
【００６７】
（２）以下に示すようなスチレン系ユニットをアルカリ可溶性基として含む重合体
【００６８】
【化８】
2011053691.tif 000009
【００６９】
【化９】
2011053691.tif 000010
【００７０】
【化１０】
2011053691.tif 000011
【００７１】
【化１１】
2011053691.tif 000012
【００７２】
【化１２】
2011053691.tif 000013
【００７３】
【化１３】
2011053691.tif 000014
【００７４】
これらの構造式において、Ｒy は、任意の置換基を示す。Ｒx は、前記と同様に選択することが好ましい。
【００７５】
（３）以下に示すようなフマル酸系ユニットを含む重合体
【００７６】
【化１４】
2011053691.tif 000015
【００７７】
（４）以下に示すようなビニル安息香酸系ユニットを含む重合体
【００７８】
【化１５】
2011053691.tif 000016
【００７９】
【化１６】
2011053691.tif 000017
【００８０】
【化１７】
2011053691.tif 000018
【００８１】
（５）以下に示すようなノルボル系ユニットやその誘導体を含む重合体
【００８２】
【化１８】
2011053691.tif 000019
【００８３】
【化１９】
2011053691.tif 000020
【００８４】
【化２０】
2011053691.tif 000021
【００８５】
【化２１】
2011053691.tif 000022
【００８６】
【化２２】
2011053691.tif 000023
【００８７】
これらの構造式において、ｐ及びｑは、それぞれ、０または１〜４の整数であり、同じでも異なっていてもよい。
【００８８】
（６）以下に示すようなイタコン酸系ユニットを含む重合体
【００８９】
【化２３】
2011053691.tif 000024
【００９０】
（７）以下に示すようなマレイン酸系ユニットを含む重合体
【００９１】
【化２４】
2011053691.tif 000025
【００９２】
（８）以下に示すようなビニルフェノール系ユニットを含む重合体
【００９３】
【化２５】
2011053691.tif 000026
【００９４】
【化２６】
2011053691.tif 000027
【００９５】
【化２７】
2011053691.tif 000028
【００９６】
（９）以下に示すようなテトラシクロドデカニル系ユニットを含む重合体
【００９７】
【化２８】
2011053691.tif 000029
【００９８】
【化２９】
2011053691.tif 000030
【００９９】
【化３０】
2011053691.tif 000031
【０１００】
【化３１】
2011053691.tif 000032
【０１０１】
【化３２】
2011053691.tif 000033
【０１０２】
なお、これらの重合体は、先にも説明したように、その他の適当なモノマー単位と組み合わせて任意の共重合体（３成分以上のものも含む）を構成していてもよい。
【０１０３】
本発明の実施において有利に使用することのできるアルカリ可溶性重合体は、さらに詳しく説明すると、例えば、以下に示すものである。
【０１０４】
【化３３】
2011053691.tif 000034
【０１０５】
【化３４】
2011053691.tif 000035
【０１０６】
【化３５】
2011053691.tif 000036
【０１０７】
【化３６】
2011053691.tif 000037
【０１０８】
【化３７】
2011053691.tif 000038
【０１０９】
【化３８】
2011053691.tif 000039
【０１１０】
上式において、ＲＲは、例えば、以下に示すような置換基を表す。
【０１１１】
【化３９】
2011053691.tif 000040
【０１１２】
以上に列挙した具体例は、あくまでも一例であって、これらの構造に限定されるものではない。また、上式において、Ｒy ，Ｒ5 は前記した通りである。
【０１１３】
上記の構造式において、Ｒ5 として有利に使用できる官能基には、例えば、以下に挙げる構造のものが含まれる。
【０１１４】
【化４０】
2011053691.tif 000041
【０１１５】
上式で示されるオキセタン類において、ｇは、０または１〜４の整数であり、また、Ｘは、水素原子（Ｈ）か炭素数８までのアルキル基であり、直鎖、分岐鎖、環状等構造は問わない。
【０１１６】
【化４１】
2011053691.tif 000042
【０１１７】
上式で示されるオキセタン類において、Ｒx ，Ｘの定義は前記したとおりである。
【０１１８】
上述のようなアルカリ可溶性重合体は、高分子化学において一般的に用いられている重合法を使用して調製することができる。例えば、所定のモノマー成分を、フリーラジカル開始剤としてのＡＩＢＮ（２，２′−アゾビスイソブチロニトリル）等の存在下、加熱することによって有利に調製することができる。また、メタクリレート系重合体以外のアルカリ可溶性重合体も、同様に常法に従って有利に調製することができる。
【０１１９】
また、深紫外領域で高い透明性を有する樹脂、あるいは添加するオキセタン化合物の構造において、１５０〜２５０nmの波長範囲でモル吸光係数の大きな発色団を含まない構造を適宜選択すれば、適量のＰＡＧと組み合わせて、深紫外線を用いた露光にも有利に対応できる高感度なレジストとなるであろう。
【０１２０】
すでに説明したように、オキセタンは、ある条件下で開環し、水酸基やカルボキシル基などのアルカリ可溶性基と反応する。つまり、アルカリ可溶性樹脂との共存下では、樹脂の架橋剤として働き、アルカリ可溶性樹脂の分子量増大による樹脂の不溶化を引き起こす。このことから、本発明者らは、これらの成分を含む組成物はネガ型レジストとなることを着想した。また、オキセタンは、ある条件下でカチオン重合する。したがって、オキセタン構造を有する化合物がアルカリ可溶性を示す場合、カチオン重合によりアルカリ可溶性を失うために、露光部のみが不溶化する。このことから、本発明者らは、これらの組成物がネガ型レジストとなることも着想した。
【０１２１】
本発明のレジスト組成物において、アルカリ可溶性樹脂は、上記したように、アルカリ可溶性基を有していれば、特に構造は制限されない。単層レジスト組成物に基材樹脂として一般的に用いられるフェノール系樹脂やアクリル酸系樹脂、及びこれらの共重合体、さらには、カルボン酸、フェノール性水酸基やヘキサフルオロカルビノールを有するケイ素含有樹脂などを用いることができる。好ましくは、前式（４）又は（５）で表わされるケイ素含有樹脂を用いることができる。
【０１２２】
前式（１）のオキセタン構造を有する化合物については、特に限定されない。なお、これらのアルカリ可溶性樹脂及びオキセタン構造を有する化合物は、上記条件を満たすものであれば、それぞれ複数種が同時に存在していてもよい。
【０１２３】
本発明のレジスト組成物は、アルカリ可溶性樹脂を主剤とし、必要に応じて用いられるオキセタン構造含有化合物を架橋剤とし、かつこれに酸発生剤を添加することで、化学増幅型ネガ型レジスト組成物となる。
【０１２４】
本発明の化学増幅型レジストにおいて、上記したような酸感応性重合体と組み合わせて用いられる光酸発生剤（ＰＡＧ）は、レジストの化学において一般的に用いられているＰＡＧ、すなわち紫外線、遠紫外線、真空紫外線、電子線、軟Ｘ線、Ｘ線等の放射線の照射によりプロトン酸を生じる物質を用いることができる。本発明において使用できるＰＡＧは、以下に列挙するものに限定されるわけではないけれども、次のような化合物を包含する。
【０１２５】
（１）オニウム塩類：
【０１２６】
【化４２】
2011053691.tif 000043
【０１２７】
上式において、Ｒ″は置換もしくは非置換の芳香族環または脂環式基を表し、ＸはＢＦ4 ，ＰＦ6 ，ＡｓＦ6 ，ＳｂＦ6 ，ＣＦ3 ＳＯ3 ，ＣｌＯ4 などを表す。
【０１２８】
（２）スルホン酸エステル類：
【０１２９】
【化４３】
2011053691.tif 000044
【０１３０】
（３）ハロゲン化物類：
【０１３１】
【化４４】
2011053691.tif 000045
【０１３２】
これらのＰＡＧは、本発明のレジスト組成物中においていろいろな量で使用することができる。ＰＡＧの使用量は、０．１〜５０重量％（ポリマ重量に対する百分率）の範囲が好ましく、より好ましくは１〜１５重量％の範囲である。本発明のレジスト組成物では、特に、露光波長における吸光度が１．７５以下になるように、重合体並びにＰＡＧの構造およびＰＡＧの使用量を考慮することが好ましい。
【０１３３】
本発明のレジスト組成物は、通常、上記したアルカリ可溶性重合体、及びＰＡＧを適当な有機溶媒に溶解して、レジスト溶液の形で有利に使用することができる。レジスト溶液の調製に有用な有機溶媒は、乳酸エチル、メチルアミルケトン、メチル−３−メトキシプロピオネート、エチル−３−エトキシプロピオネート、プロピレングリコールメチルエーテルアセテートなどであるが、これらに限定はされない。また、これらの溶媒は、単独で使用してもよいが、必要に応じて、２種類以上の溶媒を混合して使用してもよい。さらに、これらの溶媒の使用量は、特に限定されないが、スピン塗布等の塗布に適当な粘度及び所望のレジスト膜厚を得るのに十分な量で使用するのが好ましい。
【０１３４】
また、本発明のレジスト溶液には、必要に応じて、上記したような溶媒（主溶媒）に加えて補助溶媒を使用してもよい。補助溶媒は、溶質の溶解性並びに溶液の塗布均一性によっては必要ないが、溶解度の低い溶質を用いた場合や塗布均一性が所望の状態でない場合に、通常主溶媒に対して１〜３０重量％の範囲で添加するのが好ましく、より好ましくは１０〜２０重量％の範囲である。有用な補助溶媒の例は、以下に限定されるものではないが、酢酸ブチル、γ−ブチロラクトン、プロピレングリコールメチルエーテル等を包含する。
【０１３５】
本発明は、また、上記したようなレジスト組成物を使用して、被処理基板上にレジストパターン、特にネガティブなレジストパターンを形成する方法も提供する。本発明のネガティブレジストパターンの形成は、通常、次のようにして実施することができる。
【０１３６】
まず、被処理基板上に本発明のレジスト組成物を塗布し、レジスト膜を形成する。被処理基板は、半導体装置や、その他の装置、例えばＭＲヘッドなどにおいて通常用いられている基板であることができ、そのいくつかの例として、シリコン基板、ガラス基板、非磁性セラミックス基板などを挙げることができる。また、これらの基板の上方には、必要に応じて、追加の層、例えばシリコン酸化膜層、配線用金属層、層間絶縁膜層、磁性膜などが存在していてもよく、また、各種の配線、回路等が作り込まれていてもよい。さらにこれらの基板は、それに対するレジスト膜の密着性を高めるため、常法に従って疎水化処理されていても良い。適当な疎水化処理剤としては、例えば１，１，１，３，３，３−ヘキサメチルジシラザン（ＨＭＤＳ）等を挙げることができる。
【０１３７】
レジスト組成物の塗布は、上記したように、それをレジスト溶液として被処理基板上に塗布することができる。レジスト溶液の塗布は、スピン塗布、ロール塗布、ディップ塗布などの常用の技法があるが、特にスピン塗布が有用である。レジスト膜の膜厚は、約０．０１〜２００μｍの範囲が推奨されるが、ＫｒＦ，ＡｒＦ，Ｆ2 などのエキシマレーザでの露光の場合は、０．０５〜５μｍの範囲が推奨される。なお、形成されるレジスト膜の膜厚は、その使途などの要因に応じて広く変更することができる。
【０１３８】
基板上に塗布したレジスト膜は、それを結像用放射線で選択的に露光する前に、約６０〜１８０℃の温度で約３０〜１２０秒間に渡ってプリベークすることが好ましい。このプリベークは、レジストプロセスでの常用の加熱手段を用いて実施することができる。適当な加熱手段として、例えばホットプレート、赤外線加熱オーブン、マイクロ波加熱オーブンなどを挙げることができる。
【０１３９】
次いで、プリベーク後のレジスト膜を常用の露光装置で結像用の放射線で選択的に露光する。適当な露光装置は、市販の紫外線（遠紫外線、深紫外線、真空紫外線）露光装置、Ｘ線露光装置、電子ビーム露光装置、その他である。露光条件はその都度適当な条件を選択することができるが、特に本発明では先にも述べたようにエキシマレーザ（波長２４８nmのＫｒＦレーザ、波長１９３nmのＡｒＦレーザおよび波長１５７nmのＦ2 レーザ）を露光光源として有利に使用することができる。付言すると、本願明細書では、“放射線”なる語を用いた場合、これらのいかなる光源からの放射線をも意味するものとする。
【０１４０】
選択露光工程に引き続いて、露光後のレジスト膜をＰＥＢすることによって、酸を触媒としたアルカリ可溶性基の保護反応を生じさせる。この露光後ベークは保護反応が十分に起こる範囲であれば、先のプリベークと同様にして行うことができる。例えば、ＰＥＢは、約６０〜１８０℃の温度で約３０〜１２０秒間にわたって行うことができるが、所望のパターンサイズ、形状などによって調節することが好ましい。
【０１４１】
ＰＥＢの後、レジスト膜を現像液としての塩基性水溶液で現像する。この現像には、スピンデベロッパ、ディップデベロッパ、スプレーデベロッパ等の常用の現像装置を使用することができる。ここで現像液として使用される塩基性水溶液は、水酸化カリウム等に代表される周期律表のＩ族及びII族に属する金属水酸化物の水溶液や、水酸化テトラアルキルアンモニウム等の金属イオンを含有しない有機塩基の水溶液が挙げられるが、より好ましくは水酸化テトラメチルアンモニウム（ＴＭＡＨ）の水溶液であり、現像効果の向上のため界面活性剤のような添加物を加えてもよい。現像の結果として、レジスト膜の未露光量域が溶解除去せしめられ、露光量域のみがネガティブレジストパターンとして基板上に残留する。
【０１４２】
本発明のレジストパターンの形成方法は、上記した単層レジスト法ばかりでなく、多層レジスト法でも有利に実施することができる。すなわち、本発明のレジスト組成物を最上層のレジスト膜の形成に使用して、アスペクト比の大きなネガティブなレジストパターンを被処理基板上に形成することができる。
【０１４３】
例えば、二層レジスト法によるネガティブレジストパターンの形成は、通常、次のような手順で実施することができる。
【０１４４】
被加工基板上に、第１のレジスト組成物を被覆して下層レジスト膜を形成し、
前記下層レジスト膜の上に、本発明のレジスト組成物を被覆して上層レジスト膜を形成し、
前記上層レジスト膜を結像用放射線に選択的に露光し、
露光後の上層レジスト膜を塩基性水溶液で現像してレジストパターンを形成し、
前記レジストパターンをマスクとして下地の下層レジスト膜をエッチングする。
【０１４５】
上層のレジストパターンが、下層レジスト膜に転写されて、下層レジスト膜とその上の上層レジスト膜とからなるアスペクト比の大きなレジストパターンが得られる。
【０１４６】
さらに具体的に説明すると、下層用のレジスト組成物としては、従来一般的に使用されている有機材料を用いることができる。例えば、ノボラック樹脂、ビニルフェノール樹脂よりなる市販のレジスト材料、又はポリアニリン系やポリチオフェン系の導電性材料を用いることが好ましい。下層レジスト膜は、通常、０．１〜１０μｍ、好ましくは０．２〜１．０μｍの膜厚に形成する。
【０１４７】
本発明のレジスト組成物を塗布して上層レジスト膜を形成する際には、上記したように、必要に応じて溶媒を使用する。使用し得る溶媒や、レジスト組成物の塗布は、前記した通りである。このレジスト組成物の塗布膜厚は、０．０３〜１．０μｍが好ましく、これより薄いとエッチング時の寸法変動が大きくなり、厚いと解像性が低下する。より好ましい膜厚は、０．０５〜０．２μｍである。
【０１４８】
露光工程、現像工程なども、上記したような手法で実施することができる。
【０１４９】
また、下層レジスト膜のエッチングには、酸素を含むガスのプラズマエッチングを用いることができ、特に酸素と二酸化硫黄の混合ガスによるエッチングが好ましい。さらに、プラズマエッチング装置としては、高密度プラズマエッチング装置などを用いることが好ましい。
【実施例】
【０１５０】
下記の実施例は、本発明で使用されるアルカリ可溶性重合体の合成、レジスト組成物の調製、レジストパターンの形成、そして半導体装置の製造に関して説明したものである。なお、下記の実施例は一例であって、本発明の範囲を何ら限定するものではない。
【０１５１】
実施例１
２−オキセタンプロピルメタクリレート−３−カルボキシアダマンチルメタクリレート共重合体（次式参照）の合成
【０１５２】
【化４５】
2011053691.tif 000046
【０１５３】
１００mlのナスフラスコに２−オキセタンプロピルメタクリレート２．１４ｇ（１２．５７mmol）、３−カルボキシアダマンチルメタクリレート６．１５ｇ（２３．３５mmol）、テフロン（登録商標）コーティングされたスターラーバー、２４mlのジオキサン、８８５mg（５．３９mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量６．０５ｇ（７３％）。 1Ｈ  ＮＭＲから、共重合比はオキセタン：アダマンチル＝６４：３６と判明した。重量平均分子量１３，４００、分散度１．４３であった。
【０１５４】
実施例２
２−オキセタンブチルメタクリレート−３−カルボキシアダマンチルメタクリレート共重合体（次式参照）の合成
【０１５５】
【化４６】
2011053691.tif 000047
【０１５６】
１００mlのナスフラスコに２−オキセタンブチルメタクリレート２．３２ｇ（１２．５７mmol）、３−カルボキシアダマンチルメタクリレート６．１５ｇ（２３．３５mmol）、テフロン（登録商標）コーティングされたスターラーバー、２４mlのジオキサン、８８５mg（５．３９mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量６．９５ｇ（８２％）。 1Ｈ  ＮＭＲから、共重合比はオキセタン：アダマンチル＝６５：３５と判明した。重量平均分子量１５，８００、分散度１．４８であった。
【０１５７】
実施例３
メタクリル酸−３−（２′−オキセタンプロピルオキシメチル）アダマンチルメタクリレート共重合体（次式参照）の合成
【０１５８】
【化４７】
2011053691.tif 000048
【０１５９】
１００mlのナスフラスコにメタクリル酸１．０９ｇ（１２．５７mmol）、３−（２′−オキセタンプロピル）オキシメチルアダマンチルメタクリレート７．８１ｇ（２３．３５mmol）、テフロン（登録商標）コーティングされたスターラーバー、１５．５mlのジオキサン、８８５mg（５．３９mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量５．７９ｇ（６５％）。 1Ｈ  ＮＭＲから、共重合比はメタクリル酸：アダマンチル＝３６：６４と判明した。重量平均分子量９，２００、分散度１．５０であった。
【０１６０】
実施例４
２−オキセタンプロピルアクリレート−カルボキシテトラシクロドデシルアクリレート共重合体（次式参照）の合成
【０１６１】
【化４８】
2011053691.tif 000049
【０１６２】
１００mlのナスフラスコに２−オキセタンプロピルアクリレート２．０８ｇ（１３．３３mmol）、カルボキシテトラシクロドデシルアクリレート５．０５ｇ（２０mmol）、テフロン（登録商標）コーティングされたスターラーバー、１１．１mlのジオキサン、８２１mg（５mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ６００mlのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量４．８８ｇ（６８．５％）。 1Ｈ  ＮＭＲから、共重合比はオキセタン：ドデシル＝６６：３４と判明した。重量平均分子量１０，９００、分散度１．４２であった。
【０１６３】
実施例５
２−オキセタンブチルメタクリレート−３−メトキシカルボニルアダマンチルメタクリレート−３−カルボキシアダマンチルメタクリレート共重合体（次式参照）の合成
【０１６４】
【化４９】
2011053691.tif 000050
【０１６５】
１００mlのナスフラスコに２−オキセタンブチルメタクリレート２．９５ｇ（１６mmol）、３−メトキシカルボニルアダマンチルメタクリレート２．７８ｇ（１０mmol）、３−カルボキシアダマンチルメタクリレート３．７ｇ（１４mmol）、テフロン（登録商標）コーティングされたスターラーバー、４０mlのジオキサン、１．９７ｇ（１２mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量７．０７ｇ（７５％）。 1Ｈ  ＮＭＲから、共重合比はオキセタン：メトキシカルボニルアダマンチル：カルボキシアダマンチル＝５３：１３：３４と判明した。重量平均分子量１９，５００、分散度１．５２であった。
【０１６６】
実施例６
２−オキセタンプロピルメタクリレート−５−ノルボルナン−２，６−カルボラクトンメタクリレート−３−カルボキシアダマンチルメタクリレート共重合体（次式参照）の合成
【０１６７】
【化５０】
2011053691.tif 000051
【０１６８】
１００mlのナスフラスコに２−オキセタンプロピルメタクリレート３．４０ｇ（２０mmol）、５−ノルボルナン−２，６−カルボラクトンメタクリレート１．３３ｇ（６mmol）、３−カルボキシアダマンチルメタクリレート３．７ｇ（１４mmol）、テフロン（登録商標）コーティングされたスターラーバー、４０mlのジオキサン、１．９７ｇ（１２mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量５．４１ｇ（５８％）。 1Ｈ  ＮＭＲから、共重合比はオキセタン：ノルボニル：アダマンチル＝５５：１１：３４と判明した。重量平均分子量１８，７００、分散度１．４９であった。
【０１６９】
実施例７
３−（２′−オキセタンプロピルオキシ）アダマンチルアクリレート−３−カルボキシアダマンチルメタクリレート共重合体（次式参照）の合成
【０１７０】
【化５１】
2011053691.tif 000052
【０１７１】
１００mlのナスフラスコに３−（２′−オキセタンプロピルオキシ）アダマンチルアクリレート３．０６ｇ（１０mmol）、３−カルボキシアダマンチルアクリレート１．２５ｇ（５mmol）、テフロン（登録商標）コーティングされたスターラーバー、１０mlのジオキサン、３６９mg（２．２５mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ５００mlのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量２．３４ｇ（５５％）。 1Ｈ  ＮＭＲから、共重合比はオキセタン：カルボキシアダマンチル＝６４：３６と判明した。重量平均分子量１８，２００、分散度１．４１であった。
【０１７２】
実施例８
２−オキセタンプロピルオキシノルボルネン−無水マレイン酸−１，１，１−トリフルオロ−２−トリフルオロメチル−２−ヒドロキシプロピルノルボルネン共重合体（次式参照）の合成
【０１７３】
【化５２】
2011053691.tif 000053
【０１７４】
１００mlのナスフラスコに２−オキセタンプロピルオキシノルボルネン１．９２ｇ（１０mmol）、無水マレイン酸０．９８ｇ（１０mmol）、１，１，１−トリフルオロ−２−トリフルオロメチル−２−ヒドロキシプロピルノルボルネン２．６２ｇ（１０mmol）、テフロン（登録商標）コーティングされたスターラーバー、２０mlのジオキサン、４９３mg（３mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量３．４２ｇ（６２％）。 1Ｈ  ＮＭＲから、組成比は１：１：１と判明した。重量平均分子量９，４００、分散度１．３３であった。
【０１７５】
実施例９
２−オキセタンプロピルメタクリレート−無水マレイン酸−ノルボルネンカルボン酸共重合体（次式参照）の合成
【０１７６】
【化５３】
2011053691.tif 000054
【０１７７】
１００mlのナスフラスコに２−オキセタンプロピルメタクリレート１．７０ｇ（１０mmol）、無水マレイン酸０．９８ｇ（１０mmol）、ノルボルネンカルボン酸１．３８ｇ（１０mmol）、テフロン（登録商標）コーティングされたスターラーバー、２０mlのジオキサン、４９３mg（３mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量２．３５ｇ（５８％）。 1Ｈ  ＮＭＲから、組成比は１：１：１と判明した。重量平均分子量９，１００、分散度１．４４であった。
【０１７８】
実施例１０
２−オキセタンブチルアクリレート−ヒドロキシスチレン共重合体（次式参照）の合成
【０１７９】
【化５４】
2011053691.tif 000055
【０１８０】
１００mlの２−オキセタンブチルアクリレート４１０mg（２．４１mmol）、アセトキシスチレン４．６６ｇ（２７．７５mmol）、テフロン（登録商標）コーティングされたスターラーバー、１０mlのジオキサン、７４３mg（４．５mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのメタノールに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を繰り返し、白色の樹脂粉末を得る。これを塩基性メタノール溶液で処理して目的の樹脂を得る。収量２．８ｇ。 1Ｈ  ＮＭＲから、組成比はオキセタン：ヒドロキシスチレン＝９２：８と判明した。重量平均分子量７，８００、分散度１．３３であった。
【０１８１】
実施例１１
６−メトキシ−２−テトラヒドロピラニルメチルメタクリレート−３，４−カルボラクトンアダマンチルメタクリレート−３−カルボキシアダマンチルメタクリレート共重合体（次式参照）の合成
【０１８２】
【化５５】
2011053691.tif 000056
【０１８３】
１００mlのナスフラスコに２−オキセタンプロピルメタクリレート３．４０ｇ（２０mmol）、３，４−カルボラクトンアダマンチルメタクリレート１．６６ｇ（６mmol）、３−カルボキシアダマンチルメタクリレート３．７ｇ（１４mmol）、テフロン（登録商標）コーティングされたスターラーバー、４０mlのジオキサン、１．９７ｇ（１２mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量５．２６ｇ（６０％）。 1Ｈ  ＮＭＲから、共重合比はオキセタン：ラクトン：アダマンチル＝５２：１５：３３と判明した。重量平均分子量１７，１００、分散度１．４１であった。
【０１８４】
実施例１２
３−（２−オキセタンプロピルオキシ）アダマンチルメタクリレート−３，４−カルボラクトンアダマンチルメタクリレート−３−カルボキシアダマンチルメタクリレート共重合体（次式参照）の合成
【０１８５】
【化５６】
2011053691.tif 000057
【０１８６】
１００mlのナスフラスコに３−（２−オキセタンプロピルオキシ）アダマンチルメタクリレート６．１７ｇ（２０mmol）、３，４−カルボラクトンアダマンチルメタクリレート１．６６ｇ（６mmol）、３−カルボキシアダマンチルメタクリレート３．７ｇ（１４mmol）、テフロン（登録商標）コーティングされたスターラーバー、４０mlのジオキサン、１．９７ｇ（１２mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量８．８８ｇ（７７％）。 1Ｈ  ＮＭＲから、共重合比はオキセタン：ラクトン：アダマンチル＝５４：１２：３４と判明した。重量平均分子量２１，０００、分散度１．４７であった。
【０１８７】
実施例１３
３−（２−オキセタンブチルオキシ）アダマンチルメタクリレート−Ｎ−ヒドロキシメタクリルアミド−メタクリル酸共重合体（次式参照）の合成
【０１８８】
【化５７】
2011053691.tif 000058
【０１８９】
１００mlのナスフラスコに３−（２−オキセタンブチルオキシ）アダマンチルメタクリレート４．８２ｇ（１６mmol）、Ｎ−ヒドロキシメタクリルアミド２．０２ｇ（６mmol）、メタクリル酸８６１mg（１０mmol）、テフロン（登録商標）コーティングされたスターラーバー、２０mlのジオキサン、７８８mg（４．８mmol）のアゾビスイソブチロニトリル（ＡＩＢＮ）を入れ、窒素雰囲気下７０℃で７時間攪拌する。反応溶液をＴＨＦで薄め、少量のヒドロキノンを含んだ１ｌのジエチルエーテルに滴下して沈殿させ、ガラスフィルターで濾別し、０．１mmHg、４５℃で６時間乾燥させる。得られた白色の粉末を再びＴＨＦに溶解させ、上記の沈殿〜乾燥作業を２度繰り返し、白色の樹脂粉末を得る。収量４．４７ｇ（５８％）。 1Ｈ  ＮＭＲから、共重合比はアダマンチル：アミド：メタクリル酸＝６５：５：３０と判明した。重量平均分子量９，９００、分散度１．５２であった。
【０１９０】
実施例１４
実施例１の樹脂をＥＬ（乳酸エチル）に溶解して１３wt％溶液とした。なお、この溶液には補助溶媒として１０wt％のγ−ブチロラクトンも含ませた。得られた溶液に２wt％のトリフェニルスルフォニウムトリフルオロメタンスルホネートを加えて十分に溶解させた。得られたレジスト溶液を０．２μｍのテフロン（登録商標）メンブランフィルタで濾過した後、ＨＭＤＳ処理を施したシリコン基板上にスピンコートし、１１０℃で６０秒プリベークを行い、０．４μｍ厚のレジスト皮膜を形成した。これをＫｒＦエキシマレーザステッパ（ＮＡ＝０．４５）で露光した後、１２０℃で６０秒間ベークし、２．３８％のテトラメチルアンモニウムハイドロオキシド（ＴＭＡＨ）現像液で現像後、脱イオン水でリンスした。露光量１７．０mJ／cm2 で０．２５μｍＬ／Ｓが解像した。
【０１９１】
実施例１５
実施例１４のレジストを用いて０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量９．０mJ／cm2 で０．１５μｍＬ／Ｓが解像した。
【０１９２】
実施例１６
実施例２の樹脂を用い、実施例１４と同様にレジストを調製して０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量１２mJ／cm2 で０．１５μｍＬ／Ｓが解像した。
【０１９３】
実施例１７
実施例３の樹脂を用い、実施例１４と同様にレジストを調製して０．４μｍ厚のレジスト皮膜を形成した。ＡｒＦエキシマレーザステッパ（ＮＡ＝０．６０）で露光した後、１３０℃で６０秒間ベークし、２．３８％のＴＭＡＨ現像液で現像後、脱イオン水でリンスした。露光量１１mJ／cm2 で０．１５μｍＬ／Ｓが解像した。
【０１９４】
実施例１８
実施例４の樹脂を用い、実施例１４と同様にレジストを調製して０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量１４mJ／cm2 で０．１５μｍＬ／Ｓが解像した。
【０１９５】
実施例１９
実施例５の樹脂を用い、実施例１４と同様にレジストを調製して０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量８mJ／cm2 で０．１５μｍＬ／Ｓが解像した。
【０１９６】
実施例２０
実施例６の樹脂を用い、実施例１４と同様にレジストを調製して０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量９mJ／cm2 で０．１５μｍＬ／Ｓが解像した。
【０１９７】
実施例２１
実施例７の樹脂を用い、実施例１４と同様にレジストを調製して０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量８mJ／cm2 で０．１５μｍＬ／Ｓが解像した。
【０１９８】
実施例２２
実施例８の樹脂を用い、実施例１４と同様にレジストを調製して０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量１８mJ／cm2 で０．１５μｍＬ／Ｓが解像した。
【０１９９】
実施例２３
実施例９の樹脂を用い、実施例１４と同様にレジストを調製して０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量１４mJ／cm2 で０．１５μｍＬ／Ｓが解像した。
【０２００】
実施例２４
実施例１０の樹脂を用い、実施例１４と同様にレジストを調製して０．４μｍ厚のレジスト皮膜を形成した。ＫｒＦエキシマレーザステッパ（ＮＡ＝０．６８）で露光した後、１１０℃で６０秒間ベークし、２．３８％のＴＭＡＨ現像液で現像後、脱イオン水でリンスした。露光量１３mJ／cm2 で０．１８μｍＬ／Ｓが解像した。
【０２０１】
実施例２５
ポリヒドロキシスチレンに２−オキセタンプロピルメタクリレートホモポリマ（分子量５，６００）を１０wt％添加し、ＥＬでレジストを調製した。０．４μｍ厚のレジスト皮膜を形成し、ＫｒＦエキシマレーザステッパ（ＮＡ＝０．６８）で露光した後、１１０℃で６０秒間ベークし、２．３８％のＴＭＡＨ現像液で現像後、脱イオン水でリンスした。露光量１５mJ／cm2 で０．２２μｍＬ／Ｓが解像した。
【０２０２】
実施例２６
【０２０３】
【化５８】
2011053691.tif 000059
【０２０４】
上記構造式の樹脂（分子量９，５００）に２−オキセタンプロピルメタクリレートホモポリマ（分子量５，６００）を１２wt％添加し、ＥＬでレジストを調製した。０．４μｍ厚のレジスト皮膜を形成し、ＡｒＦエキシマレーザステッパ（ＮＡ＝０．６０）で露光した後、１１０℃で６０秒間ベークし、２．３８％のＴＭＡＨ現像液で現像後、脱イオン水でリンスした。露光量１７mJ／cm2 で０．１６μｍＬ／Ｓが解像した。
【０２０５】
実施例２７
実施例１１の樹脂を用い、実施例１４と同様にレジストを調製して０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量１３mJ／cm2 で０．１５μｍＬ／Ｓが解像した。
【０２０６】
実施例２８
実施例１２の樹脂を用い、実施例１４と同様にレジストを調製して０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量１２mJ／cm2 で０．１５μｍＬ／Ｓが解像した。
【０２０７】
実施例２９
実施例１３の樹脂を用い、実施例１４と同様にレジストを調製して０．４μｍ厚のレジスト皮膜を形成した。ＡｒＦエキシマレーザステッパ（ＮＡ＝０．６０）で露光した後、１２０℃で６０秒間ベークし、２．３８％のＴＭＡＨ現像液で現像後、脱イオン水でリンスした。露光量１８mJ／cm2 で０．１５μｍＬ／Ｓが解像した。
【０２０８】
実施例３０
前記実施例５，７，８，１０，２６及び２８のレジストでシリコン基板に１μｍ厚のレジスト膜を形成した。比較のため、市販のノボラックレジストである、ＰＦＩ−１６（住友化学製）及びＰＭＭＡ（ポリメチルメタクリレート）を用いて、平行平板型ＲＩＥ装置でＰμ＝２００Ｗ、圧力＝０．０２Torr、ＣＦ4 ガス＝１００sccmの条件下５分間エッチングし、サンプルの減膜量を比較した。下記の第１表に記載のような結果が得られた。
【０２０９】
【表１】
2011053691.tif 000060
【０２１０】
上記第１表に示した結果から、本発明によるレジストのエッチング耐性は、ノボラックレジストに近く、特に実施例７及び実施例２８のレジストでは、ＡｒＦ露光にも対応できる組成を有し、かつノボラックと同等以上の耐性を示した。この実験から、いずれのレジストもＰＭＭＡより格段に優れていることが確認できた。また、実施例５，７，８，１０，２６及び２８のレジストパターンでは、膨潤の発生も認められなかった。
【０２１１】
実施例３１
ケイ素含有樹脂（次式参照）の合成
【０２１２】
【化５９】
2011053691.tif 000061
【０２１３】
還流管、温度計を取付け、窒素フローした四つ口フラスコに、１，３−ビス（カルボキシプロピル）テトラメチルジシロキサン６．９ｇ（０．０２３モル）、純粋水３５ml、酢酸２０．６mlを加えて攪拌し、油浴により６０℃まで昇温させる。混合物中にテトラエトキシシラン１２．４８ｇ（０．０６モル）を３０分で滴下し、１時間にわたって反応させる。次いで、混合物中にテトラエトキシシラン６．２４ｇ（０．０３モル）を３０分で滴下し、３時間反応を行う。室温まで放冷させた後、反応溶液を分液ロートに移し、水１００mlとメチルイソブチルケトン（ＭＩＢＫ）１００mlを加えて溶媒抽出する。その後、有機層を液層分離濾紙で濾過し、四つ口フラスコに移し、共沸により水抜きして、四官能シロキサン樹脂のＭＩＢＫ溶液を得る。
【０２１４】
次に、還流管、温度計を取付け、窒素フローした四つ口フラスコに、約半分に濃縮したＭＩＢＫ溶液とテトラヒドロフラン１００mlを加え、室温で攪拌させながら、次にトリメチルシリルイミダゾール１２．０ｇ（０．８４モル）を滴下し、２時間反応させる。塩酸１８mlを添加して液層分離濾紙にて濾過し、四つ口フラスコに移し、共沸により水抜きする。更に、この溶液を濃縮してヘキサンで沈殿させた成分について、ジオキサンで凍結乾燥する。目的とする分子量６０００のケイ素含有樹脂が、８５％の収量で得られた。
【０２１５】
実施例３２
実施例３１で合成した式（４）で表わされる分子量６０００のアルカリ可溶性ケイ素含有樹脂１００重量部に対し、次式（３）で表わされるオキセタン構造を有する分子量３０００のケイ素含有樹脂（特開平６−１６８０４号公報に記載の合成法により合成）：
【０２１６】
【化６０】
2011053691.tif 000062
【０２１７】
１００重量部と、トリフェニルスルホニウムトリフレート５重量部とを、プロピレングリコールモノメチルエーテルアセテート（ＰＧＭＥＡ）に溶解し、レジスト溶液を調製した。
【０２１８】
得られたレジスト溶液をヘキサメチルジシラザン処理したシリコン（Ｓｉ）基板上に回転塗布し、１００℃／６０秒でプレベークして、０．１４μｍ厚のレジスト膜を形成した。このレジスト膜をＫｒＦエキシマレーザステッパ（ＮＡ＝０．４５）で露光した後、１３５℃で６０秒間ベークし、２．３８％ＴＭＡＨ水溶液で現像を行った。露光量７mJ／cm2 で０．２５μｍＬ／Ｓが解像した。
【０２１９】
実施例３３
実施例３１で合成した式（４）で表わされる分子量６０００のアルカリ可溶性ケイ素含有樹脂１００重量部に対し、前式（３）で表わされる分子量３０００のオキセタン構造を有するケイ素含有樹脂７０重量部と、トリフェニルスルホニウムトリフレート３重量部とを、メチルイソブチルケトン（ＭＩＢＫ）に溶解し、レジスト溶液を調製した。
【０２２０】
先ず、Ｓｉ基板上にノボラック樹脂ベースの溶液を回転塗布し、２８０℃のオーブン中で３時間ベークして、０．４μｍ厚の下層レジスト膜を形成した。次いで、上記のようにして調製したレジスト溶液を下層レジスト膜上に回転塗布し、１１０℃／６０秒でプリベークして、０．１μｍ厚の上層レジスト膜を形成した。得られた二層構造レジスト膜をＡｒＦエキシマレーザ露光装置で露光した後、１４０℃で６０秒間ベークし、２．３８％ＴＭＡＨ水溶液で現像を行った。露光量１０mJ／cm2 で０．１７Ｌ／Ｓが解像した。
【０２２１】
実施例３４
実施例３３で得られた上層レジストパターンをマスクとして、そのレジストパターンをＯ2 −ＲＩＥで下層レジスト膜に転写した。Ｏ2 −ＲＩＥの条件は、ＲＦパワー：０．１６Ｗ／cm2 、酸素流量：１０sccm、ガス圧：１０ｍTorrとした。本例のエッチングレートの結果を、図１にプロットして示す。上層レジストは、上記と同じ条件を適用した下層レジストに比べて、約１００倍のＯ2 −ＲＩＥ耐性を示した。その結果、上層パターニングで得た０．１７μｍライン＆スペースパターンを寸法変動を生じることなく、下層レジストに転写できることが確認できた。
【０２２２】
実施例３５
実施例３１で合成した式（４）で表わされる分子量６０００のアルカリ可溶性ケイ素含有樹脂１００重量部に対し、前式（３）で表わされる分子量３０００のオキセタン構造を有するケイ素含有樹脂５０重量部と、トリフェニルスルホニウムトリフレート５重量部とを、メチルイソブチルケトン（ＭＩＢＫ）に溶解し、レジスト溶液を調製した。
【０２２３】
実施例３３と同様に、Ｓｉ基板上に０．４μｍ厚の下層レジスト膜を形成し、続いて、上記のようにして調製したレジスト溶液を下層レジスト膜上に回転塗布し、１１０℃／６０秒でプリベークして、０．１μｍ厚の上層レジスト膜を形成した。得られた二層構造レジスト膜を電子線露光装置で露光した後、１３５℃／６０秒間でベークし、２．３８％ＴＭＡＨ水溶液で現像を行った。露光量４５μＣ／cm2 で０．１２５μｍＬ／Ｓが解像した。
【０２２４】
実施例３６
実施例３５で得られた上層レジストパターンをマスクとして、そのレジストパターンをＯ2 −ＲＩＥで下層レジスト膜に転写した。Ｏ2 −ＲＩＥの条件は、実施例３４と同条件であった。本例の場合、上層レジストは、下層レジストに比べて、約９０倍のＯ2 −ＲＩＥ耐性であった。その結果、上層パターニングで得た０．１２５μｍのライン＆スペースパターンを寸法変動を生じることなく、下層レジストに転写できることが確認できた。
【０２２５】
実施例３７
本発明によるレジスト組成物を利用した、具体的なデバイスの製造方法を以下に示す。
【０２２６】
図２は、高アスペクトが必要なゲートの配線パターンの形成方法を順を追って示したものである。
【０２２７】
シリコン基板１の上にフィールド酸化によって素子分離されたＭＯＳトランジスタ１０を形成する。このＭＯＳトランジスターのゲート電極上に、絶縁層２１を形成し、ゲート電極１１から配線を引き出すための開口部をリソグラフィを用いて形成する。その後、バリア金属として使用される窒化チタン（ＴｉＮ）の薄膜３１を形成し、更にその上部に配線材料であるＡｌの薄膜３２を堆積する（図２の工程Ａを参照）。
【０２２８】
このＡｌ／ＴｉＮ膜を配線パターンとして加工するため、Ａｌ／ＴｉＮ積層膜の上にエッチングマスクとなるレジストパターン４２を、実施例３２に記載の手法に従って形成する。その後、得られたレジストパターンをエッチングマスクとして、そのパターンを酸素プラズマエッチングを用いて下層に転写する（図２の工程Ｂを参照）。更に、レジストパターン４２をフッ素系プラズマエッチングにより除去し、下層レジストによるエッチングマスク４１を完成する。
【０２２９】
このエッチングマスク４１を用いて、被エッチング膜であるＡｌ／Ｔｉ積層膜を塩素系プラズマを用いてエッチングし、高アスペクト比のゲート配線パターンが完成する（図２の工程Ｃを参照）。
【０２３０】
以上、本発明をその実施形態及び実施例を参照して説明した。最後に、本発明のさらなる理解のため、本発明の好ましい態様を、以下に整理して記載する。
【０２３１】
（付記１）  アルカリ可溶性樹脂を基材樹脂として含むネガ型レジスト組成物であって、
前記アルカリ可溶性樹脂の構造中もしくは前記アルカリ可溶性樹脂に併用される化合物の構造中に、前式（１）で表されるオキセタン構造が含まれることを特徴とするネガ型レジスト組成物。
【０２３２】
（付記２）  結像用放射線を吸収して分解すると前記オキセタン構造が反応を起こし得る酸を発生可能な光酸発生剤をさらに含み、自体塩基性水溶液に可溶であるが、前記結像用放射線による露光後は露光部がアルカリ不溶となり、塩基性水溶液で現像可能であることを特徴とする付記１に記載のネガ型レジスト組成物。
【０２３３】
（付記３）  前記アルカリ可溶性樹脂が、カルボキシル基、フェノール性水酸基、Ｎ−ヒドロキシアミド基、オキシム基、イミド基、前式（２）の１，１，１，３，３，３−ヘキサフルオロカルビノール基及びスルホン酸基からなる群から選ばれた少なくとも１種類の置換基を含む重合体であることを特徴とする付記１又は２に記載のネガ型レジスト組成物。
【０２３４】
（付記４）  前記アルカリ可溶性樹脂が、アクリル酸、メタクリル酸、イタコン酸、ビニル安息香酸、ノルボルネン、ビニルフェノール、スチレン及びこれらの誘導体から誘導された重合体であることを特徴とする付記１〜３のいずれか１項に記載のネガ型レジスト組成物。
【０２３５】
（付記５）  前記アルカリ可溶性樹脂が、ラクトン環、イミド環及び酸無水物からなる群から選ばれた少なくとも１種類の弱いアルカリ可溶性基を含む重合体であることを特徴とする付記１〜４のいずれか１項に記載のネガ型レジスト組成物。
【０２３６】
（付記６）  前記アルカリ可溶性樹脂が、多環性脂環式炭化水素部分を含む重合体であることを特徴とする付記１〜５のいずれか１項に記載のネガ型レジスト組成物。
【０２３７】
（付記７）  前記多環性脂環式炭化水素部分が、アダマンチル基、ノルボルニル基及びビシクロ［２．２．２］オクチル基からなる群から選ばれた一員を含むことを特徴とする付記６に記載のネガ型レジスト組成物。
【０２３８】
（付記８）  前記多環性脂環式炭化水素部分が、少なくとも１個のアルコキシカルボニル基又はケトン基を単独もしくは同時に含むことを特徴とする付記７に記載のネガ型レジスト組成物。
【０２３９】
（付記９）  前記アルカリ可溶性樹脂が、その構造中に前式（１）で表されるオキセタン構造を有することを特徴とする付記３〜８のいずれか１項に記載のネガ型レジスト組成物。
【０２４０】
（付記１０）  前記アルカリ可溶性樹脂がケイ素含有樹脂であることを特徴とする付記３〜８のいずれか１項に記載のネガ型レジスト組成物。
【０２４１】
（付記１１）  前記ケイ素含有樹脂が、その構造中に前式（１）で表されるオキセタン構造を有することを特徴とする付記１０に記載のネガ型レジスト組成物。
【０２４２】
（付記１２）  前記ケイ素含有樹脂が、前式（３）又は（４）で表されるケイ素含有重合体であることを特徴とする付記１１に記載のネガ型レジスト組成物。
【０２４３】
（付記１３）  前記アルカリ可溶性樹脂に併用される化合物が、前式（５）で表わされるケイ素含有重合体であることを特徴とする付記１〜１２のいずれか１項に記載のネガ型レジスト組成物。
【０２４４】
（付記１４）  露光光源の波長における吸光度が１．７５以下であることを特徴とする付記１〜１３のいずれか１項に記載のネガ型レジスト組成物。
【０２４５】
（付記１５）  乳酸エチル、メチルアミルケトン、メチル−３−メトキシプロピオネート、エチル−３−エトキシプロピオネート及びプロプレングリコールメチルエーテルアセテートからなる群から選らばれた溶媒を単独もしくは組み合わせて含むことを特徴とする付記１〜１４のいずれか１項に記載のネガ型レジスト組成物。
【０２４６】
（付記１６）  酢酸ブチル、γ−ブチロラクトン及びプロピレングリコールメチルエーテルからなる群から選らばれた溶媒を添加溶媒として含むことを特徴とする付記１５に記載のネガ型レジスト組成物。
【０２４７】
（付記１７）  被加工基板上に、付記１〜１６のいずれか１項に記載のレジスト組成物を被覆してレジスト膜を形成し、
前記レジスト膜を結像用放射線に選択的に露光し、
露光後のレジスト膜を塩基性水溶液で現像してネガ型のレジストパターンを形成すること
を特徴とするレジストパターンの形成方法。
【０２４８】
（付記１８）  被加工基板上に、第１のレジスト組成物を被覆して下層レジスト膜を形成し、
前記下層レジスト膜の上に、付記１〜１６のいずれか１項に記載のレジスト組成物を被覆して上層レジスト膜を形成し、
前記上層レジスト膜を結像用放射線に選択的に露光し、
露光後の上層レジスト膜を塩基性水溶液で現像してレジストパターンを形成し、
前記レジストパターンをマスクとして下地の下層レジスト膜をエッチングし、前記下層レジスト膜とその上の前記上層レジスト膜とからなるネガ型のレジストパターンを形成すること
を特徴とする付記１７に記載のレジストパターンの形成方法。
【０２４９】
（付記１９）  前記結像用放射線として、前記レジスト組成物中に含まれる光酸発生剤の分解を誘起しうる放射線を使用することを特徴とする付記１７又は１８に記載のレジストパターンの形成方法。
【０２５０】
（付記２０）  付記１７〜１９のいずれか１項に記載のレジストパターン形成方法を実施する工程を含むことを特徴とする半導体装置の製造方法。
【符号の説明】
【０２５１】
１    シリコン基板
１０    ＭＯＳトランジスタ
１１    ゲート電極
１２    ゲート酸化膜
２１    絶縁層
３１    窒化チタン薄膜
３２    アルミニウム薄膜
４１    エッチングマスク
４２    レジストパターン
【図１】
2011053691.tif 000067
【図２】
2011053691.tif 000068